(57)【要約】【課題】    シロアリが貫通するのを阻止できる、またはシロアリを確実に殺虫させる駆除性能を併せ持つシロアリ防除方法を提供する。【解決手段】    従来全く知られていない長粒径３ｍｍ以上８ｍｍ以下という大きな粒状担体または、この粒径の粒状担体と最長粒径1ｍｍ以上３mm未満の粒状担体の混合物を使用し、もしくは、これら粒状担体に非忌避性の殺虫剤を０．００１％〜５％好ましくは０．０１重量％から０．５重量％含有させた粒状担体を用いる。【特許請求の範囲】
【請求項１】
最長粒径が３ｍｍ以上８ｍｍ以下の範囲にある粒状担体、又は最長粒径が３ｍｍ以上８ｍｍ以下の範囲にある粒状担体に最長粒径が１ｍｍ以上３ｍｍ未満の範囲にある粒状担体を５０重量部未満の範囲で混合した粒状担体を用いることを特徴とするシロアリ防除方法。
【請求項２】
請求項１に記載の粒状担体に、0.001重量％以上５重量％以下の１種または２種以上のネコチノイド系殺虫剤、フェニルピラゾール系殺虫剤、オキサダイアジン系殺虫剤および／またはクロルフェナピルを含有させた粒状担体を用いることを特徴とするシロアリ防除方法。
【請求項３】
請求項１もしくは２に記載の粒状担体を、シロアリが地中下から地表へ貫通するおそれのある部分に、1cm以上20cm以下の厚さに敷き詰め、シロアリ貫通防止層を形成させることを特徴とするシロアリ防除方法。  
【発明の詳細な説明】
【技術分野】
【０００１】
本発明は、家屋などをシロアリの被害から守るためのシロアリ防除方法に関するものである。
【背景技術】
【０００２】
シロアリは、土中を潜って家屋の床下から侵入して、土台、床束、大引などの木材を加害する例が多い。この被害を阻止するため、水で希釈して液状で使用するシロアリ防除用殺虫剤を家屋の床下に散布することが広く行われている。しかしながら、液剤の散布には手間がかかるという問題がある。
【０００３】
前記液剤散布に代わる、処理が簡単なシロアリ防除方法として粒剤を使用する方法（以下、粒剤散布法という）が知られている。例えば、粒子径が200〜3000μｍの範囲にある多孔質粒状担体（バーミキュライト、ベントナイト、カオリナイトなどの焼結生成物、パーライト、天然軽石、シリカジルなど）に有機リン系、カルバメート系又はピレスロイド系殺虫剤を含浸担持させた防蟻性粒剤が開示されており、この粒剤は家屋の床下に散布することが記載されている。（例えば、特許文献１）
【０００４】
また、殺虫剤を含まない１．７〜２．４ｍｍ径の粒状担体によりシロアリを貫通防止できることが報告されている。（例えば、非特許文献１）しかしながら、実際の現場では、この範囲の粒径の粒剤では、貫通防止効果がない例が見られてきた。ピレスロイド系殺虫剤は、特にシロアリに対して忌避性が強く、シロアリを寄せ付けないという点では優れているが、シロアリを殺すという性能には不向きである。シロアリを殺さないと、いつまでもその付近にシロアリがいることになり、シロアリの侵入を許してしまうことになる。  
【特許文献１】特公平７−１０３００４号公報
【非特許文献１】Timber 10,2001. Treating Subterranean Termite Attacks in Buildings. B.C.Peters,J.King and F.R.Wylie
【発明の開示】
【発明が解決しようとする課題】
【０００５】
本発明は、粒剤を家屋の床下に散布するシロアリの防除方法において、シロアリの粒状担体層による貫通阻止とシロアリを確実に殺虫させる駆除性能を併せ持つシロアリ防除方法を提供することにある。
【課題を解決するための手段】
【０００６】
本発明者は、前記課題を解決するために鋭意検討を重ねた結果、従来全く知られていない最長粒径３ｍｍ以上８ｍｍ以下という大きな粒状担体または、この粒径の粒状担体に最長粒径1ｍｍ以上３mm未満の粒状担体を５０（重量％）未満の範囲で混合した粒状担体を使用し、もしくは、これら粒状担体にネオニコチノイド系殺虫剤、フェニルピラゾール系殺虫剤、オキサダイアジン系殺虫剤および／またはクロルフェナピルを0.001重量％〜５重量％好ましくは0.01重量％から0.5重量％含有させた粒状担体を用いることにより、本課題を解決しうるに至った。
【発明の効果】
【０００７】
本発明により、有効にシロアリを貫通防止することが可能になり、さらに粒状担体に非忌避性殺虫剤を含有させることにより、貫通防止だけでなく、完全なシロアリ駆除が可能になった。そのため安全な粒剤散布処理で、確実に家屋などをシロアリの被害から守ることが可能になったことになる。
【０００８】
以下、本発明についてより詳細に説明する。
本発明に使用できる粒状担体としては、（１）バーミキユライト、ベントナイト、石川ライト、パーミスター、カオリナイト、セピオライト、アタパルジヤイト、パリゴルスカイト等の山皮類、ケイソウ土、アロフエン、ゼオライトの酸処理物、クレーの焼結成形物、（２）パーライト等の天然ガラス焼結体、（３）ガラスビーズ、（４）プラスチック製のビーズ、（５）天然軽石、（６）シリカジル等の天然産出鉱物や、その変性物などが用いられる。
【０００９】
本発明においては、上記粒状担体をそのまま使用することが可能であるが、さらに上記粒状担体に非忌避性の殺虫剤をそのまままたは適当な溶剤に溶解し含浸担持させて使用することもできる。非忌避性の殺虫剤を上記粒状担体に担持させる場合に、必要に応じて、種々の添加剤を併用することができる。かかる添加剤としては、粒剤中の有効成分の溶出や揮散速度を調整するためのアルキド樹脂、スチレン樹脂、アクリル樹脂、ブタジエンやイソプレン系樹脂、酢酸ビニル樹脂、エチレン−酢酸ビニル共重合樹脂、ウレタン樹脂、石油樹脂等の高分子物質や、塩素化パラフイン、ピペロニルブトキシド、シネピリン、セサミン等の効力増強剤を挙げることができる。
【００１０】
シロアリを駆除しうる性能を併せ持つシロアリ防除用粒剤に使用される非忌避性の殺虫剤としては、ネオニコチノイド系殺虫剤（イミダクロプリド、アセタミプリド、ニテンピラム、クロチアニジンなど）、オキサダイアジン系殺虫剤（インドキサカルブなど）、クロロフェナピル、フェニルピラゾール系殺虫剤（フィプロニルなど）、などが挙げられる。これら殺虫剤は、単独又は２種以上を組み合わせて使用できる。
粒状担体中の非忌避性殺虫剤の濃度は、用いる殺虫剤及び粒状担体の種類、使用条件等によって決定されるが0.001重量％〜５重量％であり、好ましくは0.01重量％から0.5重量％の範囲である。
【００１１】
また、必要により、昆虫成長調節剤または食毒剤（ピリプロキシフェン、フェノキシカルブ、ヒドラメチルノン、ジフルベンズロン、クロルフルアズロン、ヘキサフルムロン、トリフルムロン、スルフルラミド、）またはホウ素系化合物を、一種または２種以上を組み合わせて前述の非忌避性殺虫剤と混合して使用することができる。
【００１２】
本発明による粒状担体の製造方法は、特に限定されるものではない。前記粒状担体を振動篩等を用いて前記の粒径に篩分ける。また、前記殺虫剤を担持させる場合は、粒状担体および溶剤を、必要に応じて前記添加剤やその他の添加剤を加え混合して、殺虫剤を粒状担体に含浸担持させることによって製造することができる。
【００１３】
本発明による粒状担体の土壌への施用の方法は、シロアリが地中下から地表へ貫通するおそれのある部分に、1cm以上20cm以下、好ましくは２cm以上5cm以下の層を形成させることができれば、その手段は何ら限定されるものではない。
【００１４】
なお粒状担体層は、床下全面に亘って均一に形成させることがもっとも好ましい。しかし、均一に処理できない場所や、シロアリが侵入しやすい場所には、散布処理量が多くなるように不均一に処理することが好ましい。例えば、家屋の床下を囲う布基礎近傍の土中からシロアリが侵入してくることが多いため、当該部分の処理量を、それ以外の場所への処理量の２〜３倍程度にすることが好ましい。また前記布基礎内側に溝（例えば、深さ３０〜４０ｍｍ程度の溝）を掘って、当該部分に粒状担体を重点的に処理してもよい。
【００１５】
以下に試験例を挙げて本発明を説明するが、本発明はこれら試験例により何ら限定されるものではない。
【実施例１】
【００１６】
(1) 供試材料：  
粒状担体として、最長粒径１ｍｍ以上３mm未満に調整した軽石（石川ライト工業株式会社製の石川ライト）および粒径３ｍｍ以上８mm以下に調整した軽石（前述）を用いた。  試験用土壌として、25％の水分を含有する590μm前後の粒子径の軽石（前述）を準備した（以下土壌という）。
(2)供試虫：イエシロアリ職蟻  一群25頭
(3)試験方法：
内径1.5cm高さ10cmの透明ガラスを準備し、シリコン栓を底部から３cmまで挿入した。土壌を底部より３cmから５cmまでの間に、垂直に立てても土壌が落下しない程度に硬く詰めた。次に粒径の異なる粒状担体を種々の組み合わせで、それぞれ1、２、３cmの幅でガラス管の上部から詰め、シリコン栓を上部から挿入して粒状担体の上面に接するまで挿入した。次に、底部を上側にして、底部のシリコン栓を外し、供試虫25頭を放虫し、小さな木棒を入れて、底部と土壌が木棒で接するようにした。木棒は、約5mm程度土壌に刺さるようにした。底部の開口部は、アルミ箔で蓋をして、セロハンテープで固定した。次に、底部を下側にして、上部のシリコン栓を取り除き、6mm角のろ紙を粒状担体上部に入れ、アルミ箔で上部の開口部を覆った。このようにセットしたガラス管を垂直に立てて放置し、１週間後に、供試虫が粒状担体の層を貫通するかどうかを調査した。試験は３反復行った。
(4)試験結果：結果を表１に示す。
【表１】
2005154364.tif 000002
表１より、最長粒剤３ｍｍ以上８mm以下の粒状担体と最長粒径１ｍｍ以上３mm未満の粒状担体との混合比率が１対１から75対25の範囲においては、いずれの長さの層においても優れた貫通防止効果を示した。最長粒径３ｍｍ以上８mm以下の粒状担体では、層が1cmのみで１反復のみ貫通が認められたが、その他はまったく貫通が認められなかった。以上の結果から、この粒径においても貫通防止効果が期待できるものと判断された。
【実施例２】
【００１７】
（1)供試材料：粒状担体として、最長粒径３ｍｍ以上８mm以下に調整した軽石（前述）を用いた。試験用土壌として、25％の水分を含有する590μm前後の粒子径の軽石（前述）を準備した（以下土壌という）。
(2)供試粒剤：ペルメトリンを５％含有する乳剤、シフェノトリンを５％含有する乳剤、フィプロニルを２％含有するフロアブル製剤、クロルフェナピルを21.4％含有するフロアブル製剤（ＢＡＳＦアグロ株式会社製）またはクロチアニジンを7.5％含有する水性懸濁剤剤（武田薬品工業株式会社製）を準備し、各有効成分濃度がそれぞれ1.0％となるように水で希釈し、この希釈液を供試材料100重量部に対して10重量部の量となるように均一に滴下して攪拌し、風乾した。最終的な各有効成分の濃度は、供試材料に対し、0.1％とした。
(3)供試虫：イエシロアリ職蟻  一群25頭
(4)試験方法：
内径1.5cm高さ10cmの透明ガラスを準備し、シリコン栓を底部から３cmまで挿入した。土壌を底部から３cmから５cmまでの間に、垂直に立てても土壌が落下しない程度に硬く詰めた。次に各供試粒剤を1cmの幅でガラス管の上部から詰め、シリコン栓を上部から挿入して供試粒剤の上面に接するまで挿入した。次に、底部を上側にして、底部のシリコン栓を外し、供試虫25頭を放虫し、小さな木棒を入れて、底部と土壌が木棒で接するようにした。木棒は、約5mm程度土壌に刺さるようにした。底部の開口部は、アルミ箔で蓋をして、セロハンテープで固定した。次に、底部を下側にして、上部のシリコン栓を取り除き、6mm角のろ紙を粒状担体上部に入れ、アルミ箔で上部の開口部を覆った。このようにセットしたガラス管を垂直に立てて放置し、１週間後に、供試虫が供試粒剤の層を貫通するかどうかを調査した。試験は３反復行った。
(5)試験結果：結果を表２に示す。
【表２】
2005154364.tif 000003
表２より、いずれの粒状担体においても貫通防止効果が認められた。しかし、ピレスロイド系殺虫剤であるペルメトリン、シフェノトリンでは、死虫率が低く、シロアリを駆除するという性能には劣った。一方、忌避性の無いフィプロニル、クロルフェナピル、クロチアニジンを含有する粒状担体は、100％の優れた致死効果が認められた。
【００１８】
以下に製剤例を挙げて本発明を説明するが、本発明はこれら製剤例により何ら限定されるものではない。
製剤例１
石川ライト工業株式会社製の軽石（石川ライト）を篩を用いて最長粒径３ｍｍ以上８mm以下の範囲のものに分けてシロアリ防除用粒状担体を得た。
製剤例２
市販品の軽石（前述）を最長粒径１ｍｍ以上３mm未満および３ｍｍ以上８mm以下に分けたものを重量比１対３で混合して、シロアリ防除用粒状担体を得た。
製剤例３
市販品クロルフェナピル21.4％含有するフロアブル製剤（前述）を水で21.4倍に希釈して、１％希釈液とし、この液10重量部を製剤例１の担体100重量部に、均一に散布して十分に攪拌し、風乾して、クロルフェナピル0.1％含有するシロアリ防除用粒状担体を得た。
製剤例４
市販品クロルフェナピル21.4％含有するフロアブル製剤（前述）を水で21.4倍に希釈して、１％希釈液とし、この液10重量部を製剤例２の担体100重量部に、均一に散布して十分に攪拌し、風乾して、クロルフェナピル0.1％含有するシロアリ防除用粒状担体を得た。
【産業上の利用可能性】
【００１９】
本発明は、家屋などをシロアリの被害から守る方法として、直ぐに従来の液剤散布処理、又は粒剤散布処理に代わって広く採用される可能性が大きい。